(57)【特許請求の範囲】
【請求項１】
底壁と同底壁の周縁に立設された周壁とより開口を有する有底箱状に形成され、配線器具を内部に収容して取付可能とする相対向する少なくとも一対の配線器具取付部が設けられたボックス本体を備え、同ボックス本体の開口側に設置された壁材を、同壁材の切除手段によりボックス本体の周壁の内周形状に沿って切除してボックス本体の開口を壁材の表側に臨ませるために、前記ボックス本体には当該壁材を貫通した前記切除手段の周壁内面に沿った移動を可能とするガイド面が周壁全周に亘って形成されている配線用ボックスにおいて、
前記配線器具取付部は、同配線器具取付部の基端部と底壁との間に設けられた回動機構を中心として回動可能にボックス本体に設けられ、配線器具取付部を底壁側へ回動させることにより前記ガイド面が周壁全周に亘って形成されるとともに、ガイド面に沿って移動する切除手段が通過可能な通路が形成され、壁材に穿設された後、配線器具取付部を開口側へ回動させることにより同配線器具取付部の先端面が開口側に臨んで配置されるように構成した配線用ボックス。
【請求項２】
前記配線器具取付部には突片が突設され、前記配線器具取付部を周壁側へ回動させることにより前記突片が通過可能な係止孔が周壁に形成されている請求項１に記載の配線用ボックス。
【請求項３】
底壁と同底壁の周縁に立設された周壁とより開口を有する有底箱状に形成され、配線器具を内部に収容して取付可能とする相対向する少なくとも一対の配線器具取付部が設けられたボックス本体を備え、同ボックス本体の開口側に設置された壁材を、同壁材の切除手段によりボックス本体の周壁の内周形状に沿って切除してボックス本体の開口を壁材の表側に臨ませるために、前記ボックス本体には当該壁材を貫通した前記切除手段の周壁内面に沿った移動を可能とするガイド面が周壁全周に亘って形成されている配線用ボックスにおいて、
前記配線器具取付部は、底壁から開口側へ突設された受け部と、同受け部内に収容可能な収容部とより形成され、収容部を受け部内に収容することにより前記ガイド面が周壁全周に亘って形成されるとともに、ガイド面に沿って移動する切除手段が通過可能な通路が形成され、壁材に穿設された後、収容部を開口側へ移動させることにより配線器具取付部の先端面が開口側に臨んで配置されるように構成した配線用ボックス。
【請求項４】
底壁と同底壁の周縁に立設された周壁とより開口を有する有底箱状に形成され、配線器具を内部に収容して取付可能とする相対向する少なくとも一対の配線器具取付部が設けられたボックス本体を備え、同ボックス本体の開口側に設置された壁材を、同壁材の切除手段によりボックス本体の周壁の内周形状に沿って切除してボックス本体の開口を壁材の表側に臨ませるために、前記ボックス本体には当該壁材を貫通した前記切除手段の周壁内面に沿った移動を可能とするガイド面が周壁全周に亘って形成されている配線用ボックスにおいて、
前記配線器具取付部は、底壁から開口側へ突設された支持部と、同支持部の上面に支持される取付体とより形成されるとともに、取付体は、同取付体と支持部との間に設けられた回動機構を中心として回動可能に設けられ、取付体を底壁側へ回動させることにより前記ガイド面が周壁全周に亘って形成されるとともに、ガイド面に沿って移動する切除手段が通過可能な通路が形成され、壁材に穿設された後、取付体を開口側へ回動させることにより配線器具取付部の先端面が開口側に臨んで配置されるように構成した配線用ボックス。
【請求項５】
底壁と同底壁の周縁に立設された周壁とより開口を有する有底箱状に形成され、配線器具を内部に収容して取付可能とする相対向する少なくとも一対の配線器具取付部が設けられたボックス本体を備え、同ボックス本体の開口側に設置された壁材を、同壁材の切除手段によりボックス本体の周壁の内周形状に沿って切除してボックス本体の開口を壁材の表側に臨ませるために、前記ボックス本体には当該壁材を貫通した前記切除手段の周壁内面に沿った移動を可能とするガイド面が周壁全周に亘って形成されている配線用ボックスにおいて、
前記ガイド面を周壁の前端面から底壁側へ所定長さ薄肉に形成し、且つボックス本体の開口側の周壁内面に段差面を周壁全周に亘って形成し、切除手段の先端に設けた非切除部がガイド面及び段差面に当接した状態で移動する切除手段が通過可能な通路を確保すべく、配線器具取付部の先端面はガイド面及び段差面より底壁側へ後退した位置に配置されているように構成した配線用ボックス。
【発明の詳細な説明】
【０００１】
【発明の属する技術分野】
この発明は、建築物内の壁材裏に設置され、内部にケーブルや配線器具が収容される配線用ボックスに関するものである。
【０００２】
【従来の技術】
従来より、建築物内の壁材表面にコンセント等の配線器具を取り付けるため、開口を有する有底四角箱状をなす配線用ボックスがその開口が壁材側へ臨む状態で壁材の裏側に設置されている。この配線用ボックスは有底四角箱状のボックス本体を備え、そのボックス本体の底壁上面において、相対向する一対の側壁の内側位置には相対向する一対の配線器具取付部が、それぞれ底壁から開口側へ突設されている。各配線器具取付部の先端面には取付孔が形成され、同先端部内には、取付孔を通過した取付ビスの雄ねじが螺合可能な雌ねじ部が形成されている。また、配線器具を保持する保持枠は四角枠状をなし、中央部に配線器具を保持可能に形成されているとともに、相対向する上下側部中央に前記取付ビスが挿通可能な固定孔が形成されている。
【０００３】
上記構成の配線用ボックス内に前記開口から配線器具を収容して取付けるためには、まず、前記開口が壁材の表側に臨むように切除手段としての鋸が使用されて壁材に透孔が穿設される。次いで、配線器具を保持した保持枠の各固定孔から前記取付ビスの雄ねじを前記雌ねじ部に螺合する。その結果、配線用ボックスと保持枠との間に壁材を挟んだ状態で保持枠が配線用ボックスに取り付けられるとともに、その保持枠を介して配線器具が配線用ボックス内に収容して取り付けられる。
【０００４】
【発明が解決しようとする課題】
ところが、上記従来の配線用ボックスにおいて、前記透孔を穿設する際、周壁の内周形状に沿って壁材を切除するため、作業者は鋸を周壁の内面に沿わせた状態で移動させる。このとき、配線器具取付部はその先端面が周壁の前端面とほぼ同じ位置に配置されているため、周壁内面に沿って鋸を移動させたとき、その鋸が配線器具取付部に接触してしまう。従って、配線器具取付部と鋸との接触を避けるため、作業者は配線器具取付部の位置を確認し、さらに、その配線器具取付部を避けながら鋸を移動させて壁材を切断しなければならず、透孔の穿設作業が非常に煩雑であるという問題があった。
【０００５】
この発明は、このような従来技術に存在する問題点に着目してなされたものである。その目的とするところは、ボックス本体の周壁の内周形状に沿って壁材の切除手段を円滑に移動させることができ、その切除手段による壁材の切除作業の簡易化を可能とする配線用ボックスを提供することにある。
【０００６】
【課題を解決するための手段】
上記の目的を達成するために、請求項１に記載の発明の配線用ボックスは、底壁と同底壁の周縁に立設された周壁とより開口を有する有底箱状に形成され、配線器具を内部に収容して取付可能とする相対向する少なくとも一対の配線器具取付部が設けられたボックス本体を備え、同ボックス本体の開口側に設置された壁材を、同壁材の切除手段によりボックス本体の周壁の内周形状に沿って切除してボックス本体の開口を壁材の表側に臨ませるために、前記ボックス本体には当該壁材を貫通した前記切除手段の周壁内面に沿った移動を可能とするガイド面が周壁全周に亘って形成されている配線用ボックスにおいて、前記配線器具取付部は、同配線器具取付部の基端部と底壁との間に設けられた回動機構を中心として回動可能にボックス本体に設けられ、配線器具取付部を底壁側へ回動させることにより前記ガイド面が周壁全周に亘って形成されるとともに、ガイド面に沿って移動する切除手段が通過可能な通路が形成され、壁材に穿設された後、配線器具取付部を開口側へ回動させることにより同配線器具取付部の先端面が開口側に臨んで配置されるように構成したものである。
【０００７】
請求項２に記載の発明の配線用ボックスは、請求項１に記載の発明において、前記配線器具取付部には突片が突設され、前記配線器具取付部を周壁側へ回動させることにより前記突片が通過可能な係止孔が周壁に形成されているものである。
【０００８】
請求項３に記載の発明の配線用ボックスは、前記配線器具取付部は、底壁から開口側へ突設された受け部と、同受け部内に収容可能な収容部とより形成され、収容部を受け部内に収容することにより前記ガイド面が周壁全周に亘って形成されるとともに、ガイド面に沿って移動する切除手段が通過可能な通路が形成され、壁材に穿設された後、収容部を開口側へ移動させることにより配線器具取付部の先端面が開口側に臨んで配置されるように構成したものである。
【０００９】
請求項４に記載の発明の配線用ボックスは、前記配線器具取付部は、底壁から開口側へ突設された支持部と、同支持部の上面に支持される取付体とより形成されるとともに、取付体は、同取付体と支持部との間に設けられた回動機構を中心として回動可能に設けられ、取付体を底壁側へ回動させることにより前記ガイド面が周壁全周に亘って形成されるとともに、ガイド面に沿って移動する切除手段が通過可能な通路が形成され、壁材に穿設された後、取付体を開口側へ回動させることにより配線器具取付部の先端面が開口側に臨んで配置されるように構成したものである。
【００１０】
請求項５に記載の発明の配線用ボックスは、前記ガイド面を周壁の前端面から底壁側へ所定長さ薄肉に形成し、且つボックス本体の開口側の周壁内面に段差面を周壁全周に亘って形成し、切除手段の先端に設けた非切除部がガイド面及び段差面に当接した状態で移動する切除手段が通過可能な通路を確保すべく、配線器具取付部の先端面はガイド面及び段差面より底壁側へ後退した位置に配置されているように構成したものである。
【００１３】
【発明の実施の形態】
以下、この発明の第１実施形態を図面に基づいて詳細に説明する。
（第１実施形態）
まず、配線用ボックスが設置される場所について説明すると、図１に示すように、配線用ボックス１１は建築物内に立設された柱１２に取り付けられ、その配線用ボックス１１の開口側及び柱１２の前方位置には壁材１３が設置される。そして、配線用ボックス１１は前記壁材１３の裏側に設置されるものである。
【００１４】
次いで、配線用ボックス１１について説明する。配線用ボックス１１はボックス本体１９を備えている。そのボックス本体１９は底壁２０とその底壁２０の周縁に立設された周壁とより開口を有する有底四角箱状に形成され、配線器具（図示せず）を内部に収容して取付可能とする相対向する一対の配線器具取付部２８が形成されているものである。なお、各実施形態におけるボックス本体１９の上下左右は、図２の正面図における上下左右に対応する。また、ボックス本体１９の開口側を同ボックス本体１９の前側とする。
【００１５】
図２に示すように、ボックス本体１９の底壁２０は正面長方形状をなし、底壁２０の周縁には、その底壁２０の各辺に対応する側壁２１〜２４が底壁２０に対し略垂直に立設され、それら側壁２１〜２４によりボックス本体１９の周壁が形成されている。ボックス本体１９の開口側の周壁内面には前記壁材１３を貫通した壁材１３の切除手段の周壁の内面に沿った移動を可能とするガイド面２５が周壁全周に亘って形成されている。
【００１６】
図１に示すように、前記ボックス本体１９の上下両側壁２１，２２の相対向する両側部には、それぞれボックス本体１９内にケーブル２６が配線可能な配線貫通孔２７（図１では上側壁２１の配線貫通孔２７のみ図示）が形成されている。図２に破線及び図４に示すように、底壁２０において、上下両側壁２１，２２の内側中央部には略円筒状をなす前記配線器具取付部２８が、それぞれ底壁２０からボックス本体１９の開口側へ突設されている。各配線器具取付部２８の開口側端面、即ち先端面には取付孔２８ａが形成され、各取付孔２８ａは、ボックス本体１９の開口側に臨んでいる。
【００１７】
図４に示すように、各配線器具取付部２８の先端内部には、取付孔２８ａから挿通される図示しない取付ビスの雄ねじが螺合可能な雌ねじが螺刻された雌ねじ部２８ｂが形成されている。各配線器具取付部２８はその先端面がガイド面２５から離れた位置、即ち底壁２０側へ後退した位置に配置されている。そして、前記ガイド面２５の内側には、ガイド面２５に沿って移動する切除手段の通路が形成されている。
【００１８】
左側壁２３には長孔状のビス孔２３ａが所定間隔をおいて３箇所に貫通形成され、図５に示すように、前記ビス孔２３ａからビス２９を前記柱１２に対して固定することにより、配線用ボックス１１をその柱１２に取付可能に構成されている。
【００１９】
図２に示すように、上側壁２１の下側及び下側壁２２の上側には、右側壁２４の前端面及び左側壁２３の前端面間に架設され、上側壁２１及び下側壁２２の左右方向に沿って延びるアルミニウム箔製の探知手段としての探知フィルム３０が設けられている。そして、壁材１３の裏側にある探知フィルム３０の位置、即ちボックス本体１９の位置を壁材１３の表側から金属探知器により探知可能に構成されている。なお、この探知フィルム３０はガイド面２５に案内された切除手段により除去可能に設けられている。また、探知手段として探知フィルム３０の代わりに磁石をボックス本体１９内に設置し、磁石探知器により磁石、即ちボックス本体１９の位置を探知してもよい。
【００２０】
次に、前記切除手段について説明すると、切除手段は図３（ａ）に２点鎖線に示す切除工具１０ａと、その切除工具１０ａに取り付けられる図３（ａ）に実線に示す穿孔ビット１４とより構成されている。前記穿孔ビット１４は金属材料製の棒状をなすビット軸１５を備えている。このビット軸１５の先端側｛図３（ａ）では左端側｝には、図３（ｂ）に示すように、同ビット軸１５の軸線方向に沿って断面三日月形状に延びる切刃１５ａと、断面略紡錘形状に延びるポスト１５ｂとが両者の間に隙間を有する状態で並設されて切除刃部１６が構成されている。前記切除刃部１６の先端部、即ち、切刃１５ａ及びポスト１５ｂの先端部にはそれらの外周面を被覆して円環状をなす非切除部１７が取り付けられている。
【００２１】
ビット軸１５の基端側｛図３（ａ）では右端側｝には略円柱状をなし、切除工具１０ａの先端に取付可能なシャンク１５ｃが設けられている。前記ビット軸１５には、同ビット軸１５の外周面の一部をそのビット軸１５の軸線方向に沿って被覆する円筒状のスリーブ１８が装着され、そのスリーブ１８はビット軸１５の軸線方向に沿って移動可能に設けられている。また、スリーブ１８の両側外端面のうち、ビット軸１５の切除刃部１６側の外端面には、前記壁材１３表面に当接可能な当接面１８ａが形成されている。さらに、スリーブ１８には、同スリーブ１８の壁部を貫通してねじ孔１８ｂが形成され、そのねじ孔１８ｂの内周面には雌ねじ（図示せず）が螺刻されている。
【００２２】
スリーブ１８をビット軸１５に沿って移動させることにより、スリーブ１８のビット軸１５に沿った位置を調整して当接面１８ａと非切除部１７との間の距離、即ち切除刃部１６の露出長さを調整可能に構成されている。さらに、スリーブ１８の位置調整後、ねじ孔１８ｂに止めねじ１８ｃを螺合して止めねじ１８ｃの先端をシャンク１５ｃ外面に押し付けることによりスリーブ１８をビット軸１５に位置決めして、前記切除刃部１６の露出長さを維持可能に構成されている。そして、穿孔ビット１４を切除工具１０ａに取付け、その切除工具１０ａにより穿孔ビット１４を回転させることにより切除刃部１６を回転させて壁材１３を切除することができる。
【００２３】
さて、前記配線用ボックス１１への配線器具の取付方法について説明する。
まず、図１に示すように、周壁の前端面と柱１２の前面とが面一となるように配線用ボックス１１を柱１２に取付け、さらに、ケーブル２６を配線貫通孔２７を通過させてボックス本体１９内に引き込む。次いで、配線用ボックス１１の開口側に壁材１３を設置し、配線用ボックス１１を壁材１３の裏側に配置する。
【００２４】
次いで、図示しない金属探知器等により探知フィルム３０の位置を探知し、配線用ボックス１１の開口の位置を想定する。次に、壁材１３にその表側から配線用ボックス１１の開口内の任意の位置に、穿孔ビット１４が通過可能な孔を穿孔ドリル、キリ等の孔あけ工具を使用して形成する。なお、切除刃部１６の先端部を非切除部１７の先端面より突出させてその切除刃部１６により壁材１３を貫通する孔を形成してもよい。
【００２５】
続いて、前記孔内に定規等を挿入してその定規により壁材１３の厚みを測定し、その壁材１３の厚みと切除刃部１６の露出長さが対応するようにスリーブ１８の位置を調整する。そして、当接面１８ａの位置調整後、スリーブ１８をビット軸１５に位置決めし、その穿孔ビット１４のシャンク１５ｃを切除工具１０ａの先端部に回転可能にセットする。
【００２６】
次いで、非切除部１７及び切除刃部１６を前記孔内に挿入して壁材１３を貫通させる。すると、スリーブ１８の当接面１８ａが壁材１３の表面に当接し、非切除部１７は壁材１３を貫通して同壁材１３の裏面へ突出して配線用ボックス１１内に配置される。それと同時に、切除刃部１６はその露出部分の軸線方向への長さが壁材１３の厚みと対応するように配置される。そして、切除工具１０ａにより穿孔ビット１４を回転させ、切除刃部１６により壁材１３を切除しながら切除工具１０ａを介して穿孔ビット１４を周壁側へ移動させる。
【００２７】
すると、非切除部１７が周壁内面、即ちガイド面２５に当接する。このとき、配線器具取付部２８の先端面はガイド面２５より底壁２０側へ後退した位置に配置されている。そのため、切除工具１０ａを周壁のうちの上側壁２１又は下側壁２２方向へ移動させたとしても非切除部１７が配線器具取付部２８に接触することなく上側壁２１又は下側壁２２のガイド面２５に当接される。
【００２８】
続いて、非切除部１７がガイド面２５に当接した状態で、周壁の延びる方向に沿って切除工具１０ａを移動させる。すると、ガイド面２５により非切除部１７及び切除刃部１６が周壁の内周形状に沿って案内され、切除刃部１６により周壁の内周形状に沿って壁材１３が切除される。
【００２９】
このとき、ガイド面２５の内側には通路が形成されているため、非切除部１７が上側壁２１又は下側壁２２のガイド面２５に案内されて移動するとき、その非切除部１７が配線器具取付部２８に接触することがない。そして、切除工具１０ａ及び穿孔ビット１４をガイド面２５に案内させて周壁全周に亘って移動させる。その結果、図６に示すように、ボックス本体１９の周壁の内周形状に沿って壁材１３を切除刃部１６が切除してボックス本体１９の開口を壁材１３の表側に臨ませる透孔３１が穿設される。
【００３０】
最後に、図示しない保持枠に配線器具を保持させ、その保持枠の両挿通孔から雌ねじ部２８ｂに取付ビスを螺合して保持枠を介して配線器具を配線用ボックス１１に取付ける。さらに、配線器具を壁材１３の表側に臨ませた状態で配線用ボックス１１の開口を被覆する化粧プレートを壁材１３の表面に取付ける。
【００３１】
前記第１実施形態によって発揮される効果について、以下に記載する。
・  ボックス本体１９の開口側の周壁内面にはガイド面２５が周壁全周に亘って形成されている。そのため、切除工具１０ａ及び穿孔ビット１４をガイド面２５に案内させた状態で円滑に移動させることができ、周壁の内周形状に沿って壁材１３を確実に切除することができる。従って、配線器具取付部２８の位置を確認し、その配線器具取付部２８を避けながら切除工具１０ａ及び穿孔ビット１４を移動させる従来と異なり、透孔３１の穿設作業の簡易化を図ることができる。
【００３２】
・  また、配線器具取付部２８の前方に位置する壁材１３を残して透孔３１を穿設したあと、前記残存部分を切除する必要がなくなり、透孔３１の穿設作業の簡易化を図ることができる。
【００３３】
・  加えて、周壁の全周に亘ってガイド面２５が形成されているため、壁材１３を貫通させた穿孔ビット１４をいずれの方向へ移動させても非切除部１７が配線器具取付部２８と接触することなくガイド面２５に当接させることができる。従って、配線器具取付部２８の位置を考慮して穿孔ビット１４を移動させて非切除部１７をガイド面２５に当接させる場合と異なり、透孔３１の穿設作業を速やかに行うことができる。
【００３４】
・  配線器具取付部２８はその先端面が周壁の前端面より後退した位置に形成されている。そのため、配線器具取付部２８によりガイド面２５に沿った非切除部１７の移動が妨げられることなく、開口に沿って穿孔ビット１４を移動させることができ、開口に沿った透孔３１を確実に穿設することができる。
【００３５】
・  穿孔ビット１４をセットした切除工具１０ａの使用により壁材１３を切除することができる。従って、鋸等を使用して壁材１３に透孔３１を手作業で穿設する従来と異なり、透孔３１の穿設作業の簡易化及び短時間化を図ることができる。
【００３６】
（第２実施形態）
以下、各実施形態においては、上記第１実施形態と異なる点について主に説明する。
【００３７】
図７及び図８（ａ）に示すように、各配線器具取付部２８はボックス本体１９とは別部材により設けられている。底壁２０には、同底壁２０を貫通して貫通孔３２が形成され、底壁２０上面において、前記貫通孔３２を挟んだ相対向する位置には回動機構を構成する軸受け３３が形成されている。各配線器具取付部２８の基端部外面の相対向する位置には前記軸受け３３に係合可能な回動機構を構成する係合突起３４が突設されている。そして、各係合突起３４がそれぞれ軸受け３３に係合されて配線器具取付部２８が底壁２０に対して回動可能に取り付けられてボックス本体１９に設けられている。
【００３８】
また、各配線器具取付部２８の外面には一対の突片３５が突設され、各突片３５の先端部にはそれぞれ係止凸部３５ａが外方へ突設されている。各係止凸部３５ａはそれぞれ突片３５の先端から基端側へ向かうに従い外方へ傾斜して形成されている。一方、図８（ａ）、（ｂ）に示すように、上側壁２１及び下側壁２２には前記一対の突片３５が互いに近付くように弾性変形することにより通過可能な係止孔３６が形成されている。
【００３９】
そして、図８（ａ）に実線に示す位置にある配線器具取付部２８を２点鎖線に示す位置へ回動させると、各突片３５が係止孔３６内を通過し、その後、図８（ｂ）に示すように、係止凸部３５ａが上側壁２１外面又は下側壁２２外面に係止可能に構成されている。その係止状態において、配線器具取付部２８の底壁２０側への回動が規制されるとともに、各配線器具取付部２８の先端面がボックス本体１９の開口側の周壁の前端面とほほ同じ位置に配置される。
【００４０】
なお、配線器具取付部２８の基端部の一部分の外面と底壁２０上面とを一体形成するとともに、連結部分を肉薄に形成して回動機構としてのヒンジを形成する。そのヒンジを回動中心として配線器具取付部２８を上下方向へ回動可能に設けてもよく、ヒンジの代わりに回動機構としての蝶番を設けてもよい。
【００４１】
さて、第２実施形態の配線用ボックス１１が柱１２に取り付けられた状態において、各配線器具取付部２８を底壁２０側へ回動させて先端側をガイド面２５から離れた位置に配置する。その後、壁材１３が配線用ボックス１１の前方に設置される。
【００４２】
次いで、壁材１３に透孔３１を穿設する。このとき、各配線器具取付部２８はそれぞれ底壁２０側へ回動されているため、ボックス本体１９の開口側の周壁内面にはガイド面２５が周壁全周に亘って形成されるとともに、ガイド面２５の内側に非切除部１７が通過可能な通路が形成されている。従って、非切除部１７を配線器具取付部２８と接触することなくガイド面２５に沿って移動させて切除刃部１６により壁材１３を切除することができ、開口に沿った透孔３１を確実かつ容易に穿設することができる。
【００４３】
また、透孔３１が穿設された後、各配線器具取付部２８を開口側へ回動させることにより、取付孔２８ａがボックス本体１９の開口側に配置される。その結果、取付孔２８ａがボックス本体１９の開口側に臨んでいるため、取付孔２８ａが開口より底壁２０側へ後退した位置にある場合と比較して取付ビスの軸線方向への長さを短くすることができ、取付ビスの螺合作業を短時間で行うことができる。加えて、係止凸部３５ａの各側壁２１，２２に対する係止により配線器具取付部２８の底壁２０側への回動が規制され、取付孔２８ａの位置ずれを防止することができる。従って、取付ビスの雌ねじ部２８ｂへの螺合作業の簡易化を図ることができ、配線用ボックス１１への配線器具の取付作業を速やかに行うことができる。
【００４４】
（第３実施形態）
図９に示すように、各配線器具取付部２８は、底壁２０上面から突設されるとともに、上面に開口が形成された筒状をなす受け部３９と、受け部３９内に収容可能な収容部４０とより形成されている。受け部３９の上端内周縁には、その内周縁が内方へ延設されて係止端部３９ａが形成されている。
【００４５】
収容部４０は受け部３９内に収容される図９に実線に示す収容位置及び受け部３９内から突出する図９に２点鎖線に示す突出位置との間を移動可能に設けられている。収容部４０の先端面の中央部には取付孔２８ａが形成され、内部に雌ねじ部２８ｂが形成されている。収容部４０の下端外周縁には前記係止端部３９ａに係止可能な係止鍔４０ａが形成され、受け部３９内周面と収容部４０外周面との間には、前記突出位置に収容部４０を位置決めする位置決め手段（図示せず）が設けられている。
【００４６】
そして、収容部４０を開口側へ移動させ、係止鍔４０ａを係止端部３９ａに係止させて突出位置に位置させるとともに、前記位置決め手段により突出位置に位置決めすると配線器具取付部２８が構成される。その配線器具取付部２８の先端面、即ち取付孔２８ａは周壁の前端面とほほ同じ位置に配置される。
【００４７】
さて、第３実施形態の配線用ボックス１１が柱１２に取り付けられた状態において、各収容部４０を受け部３９内へ収容する。その後、壁材１３が配線用ボックス１１の前方に設置される。
【００４８】
次いで、壁材１３に透孔３１を穿設する。このとき、収容部４０が受け部３９内に収容されているため、ボックス本体１９の開口側の周壁内面にはガイド面２５が周壁全周に亘って形成されるとともに、ガイド面２５の内側に非切除部１７が通過可能な通路が形成されている。従って、非切除部１７を配線器具取付部２８の収容部４０と接触することなくガイド面２５に沿って移動させて切除刃部１６により壁材１３を切除することができ、開口に沿った透孔３１を確実かつ容易に穿設することができる。また、透孔３１が穿設された後、各収容部４０を突出位置へ移動させ、位置決めすることにより、取付孔２８ａをボックス本体１９の開口側に位置させることができる。
【００４９】
（第４実施形態）
図１０に示すように、各配線器具取付部２８はボックス本体１９とは別体に設けられている。配線器具取付部２８の基端部外周面には着脱手段としての雄ねじ４１が形成され、底壁２０には前記雄ねじ４１が螺合可能な着脱手段としての雌ねじ４２が螺刻された接続孔４３が形成されている。そして、前記雄ねじ４１を雌ねじ４２に螺合することにより配線器具取付部２８を底壁２０上面に取付可能であり、螺退することにより配線器具取付部２８を底壁２０から取外し可能に構成されている。
【００５０】
前記取付状態において、各配線器具取付部２８の先端面はボックス本体１９の開口側端面とほほ同じ位置に配置されている。なお、配線器具取付部２８の基端部の雄ねじ４１を省略するとともに、接続孔４３の雌ねじ４２を省略し、接続孔４３に配線器具取付部２８の基端部を強制的に嵌め込み、配線器具取付部２８を配線用ボックス１１に取り付けてもよい。
【００５１】
さて、第４実施形態の配線用ボックス１１が柱１２に取り付けられた状態において、各配線器具取付部２８を底壁２０から取外す。その後、壁材１３が配線用ボックス１１の前方に設置される。次いで、壁材１３に透孔３１を穿設する。このとき、配線器具取付部２８がボックス本体１９から取り外されているため、ボックス本体１９の開口側の周壁内面にはガイド面２５が周壁全周に亘って形成されるとともに、ガイド面２５の内側に非切除部１７が通過可能な通路が形成されている。
【００５２】
従って、非切除部１７を配線器具取付部２８と接触することなくガイド面２５に沿って移動させて切除刃部１６により壁材１３を切除することができ、開口に沿った透孔３１を確実かつ容易に穿設することができる。また、透孔３１が穿設された後、各配線器具取付部２８を底壁２０に取付けることにより、取付孔２８ａをボックス本体１９の開口側に位置させることができる。
【００５３】
（第５実施形態）
図１１に示すように、各配線器具取付部２８は、底壁２０からボックス本体１９の開口側へ突設された略筒状をなす支持部３７と、同支持部３７の上面に支持可能に設けられた取付体３８とより構成されている。取付体３８の先端面には取付孔２８ａが形成され、内部に雌ねじ部２８ｂが形成されている。支持部３７の上部外面の相対向する位置には回動機構を構成する軸受け３３が形成されている。一方、取付体３８の下部外面の相対向する位置には前記軸受け３３に係合可能な回動機構を構成する係合突起３４が突設されている。
【００５４】
そして、各係合突起３４がそれぞれ軸受け３３に係合されて取付体３８が支持部３７に対して回動可能に取り付けられている。各取付体３８を開口側へ回動させて支持部３７上面に支持させた状態において、各配線器具取付部２８が構成される。各配線器具取付部２８の先端面、即ち取付孔２８ａがボックス本体１９の開口側端面とほほ同じ位置に配置されている。
【００５５】
なお、取付体３８の下部外面の一部分と支持部３７上面の一部分とを一体形成するとともに、連結部分を肉薄に形成して回動機構としてのヒンジを形成する。そして、そのヒンジを回動中心として取付体３８を上下方向へ回動可能に設けてもよい。さらに、ヒンジの代わりに回動機構としての蝶番を設けてもよい。
【００５６】
さて、第５実施形態の配線用ボックス１１が柱１２に取り付けられた状態において、各取付体３８を底壁２０側へ回動させる。その後、壁材１３が配線用ボックス１１の前方に設置される。次いで、壁材１３に透孔３１を穿設する。このとき、各取付体３８が底壁２０側へ回動されているため、ボックス本体１９の開口側の周壁内面にはガイド面２５が周壁全周に亘って形成されるとともに、ガイド面２５の内側に非切除部１７が通過可能な通路が形成されている。
【００５７】
従って、非切除部１７を配線器具取付部２８の取付体３８と接触することなくガイド面２５に沿って移動させて切除刃部１６により壁材１３を切除することができ、開口に沿った透孔３１を確実かつ容易に穿設することができる。また、透孔３１が穿設された後、各取付体３８を開口側へ回動させることにより、取付孔２８ａをボックス本体１９の開口側に位置させることができる。
【００５８】
（第６実施形態）
ボックス本体１９の底壁２０上面又は底壁２０を貫通して上側壁２１側及び下側壁２２側からそれぞれボックス本体１９内方へ直線状に延びる溝を形成し、その溝に各配線器具取付部２８の基端部を嵌め込む。各配線器具取付部２８を溝に嵌め込んだ状態で、各配線器具取付部２８の先端面、即ち取付孔２８ａがボックス本体１９の開口側端面とほほ同じ位置に配置されている。前記溝と配線器具取付部２８の基端部との間に設けられた規制手段により各配線器具取付部２８の溝からの抜け出しが規制されている。そして、各配線器具取付部２８を前記溝の延びる方向に沿ってスライド移動可能に形成されている。
【００５９】
さて、第６実施形態の配線用ボックス１１が柱１２に取り付けられた状態において、各配線器具取付部２８を溝に沿ってボックス本体１９内方へスライド移動させる。その後、壁材１３が配線用ボックス１１の前方に設置される。次いで、壁材１３に透孔３１を穿設する。このとき、各配線器具取付部２８がボックス本体１９内方へスライド移動されているため、ボックス本体１９の開口側の周壁内面にはガイド面２５が周壁全周に亘って形成されるとともに、ガイド面２５の内側に非切除部１７が通過可能な通路が形成されている。
【００６０】
従って、非切除部１７を配線器具取付部２８と接触することなくガイド面２５に沿って移動させて切除刃部１６により壁材１３を切除することができ、開口に沿った透孔３１を確実かつ容易に穿設することができる。また、透孔３１が穿設された後、各配線器具取付部２８を周壁側へスライド移動させると、取付孔２８ａがボックス本体１９の開口側に臨んでいるため、取付孔２８ａが開口より後退した位置にある場合と比較して取付ビスを短くすることができ、取付ビスの螺合作業を短時間で行うことができる。
【００６１】
なお、各実施形態は、次のように変更して具体化することも可能である。
・  図１２に示すように、非切除部１７のビット軸１５の軸線方向に沿った長さに対応するように、周壁の前端面から底壁２０側へ所定長さ薄肉に形成し、ボックス本体１９の開口側の周壁内面に段差面４４を周壁全周に亘って形成してガイド面２５を形成してもよい。このように構成した場合、非切除部１７の下端面が段差面４４上面に当接することにより、穿孔ビット１４が必要以上にボックス本体１９内へ入り込まず、安定した状態でガイド面２５に沿って穿孔ビット１４を案内することができる。
【００６２】
・  底壁２０上面において、上側壁２１側及び下側壁２２側に相対向する一対の配線器具取付部２８を二箇所以上設け、保持枠の上下部の相対向する位置に各配線器具取付部２８に対応する挿通孔を形成してもよい。このように構成した場合、配線器具取付部２８の雌ねじ部２８ｂに螺合される取付ビスの本数が増えるため、保持枠を介して配線器具を配線用ボックス１１に強固に取り付けることができる。
【００６３】
・  実施形態では、配線器具取付部２８を上側壁２１側及び下側壁２２側に設けたが、左側壁２３側及び右側壁２４側に相対向する少なくとも一対の配線器具取付部２８を設けてもよく、各側壁２１〜２４側それぞれに配線器具取付部２８を設けてもよい。
【００６４】
・  非切除部１７の外面をゴム材料により被覆してもよい。このように構成した場合、非切除部１７がガイド面２５に当接したとき、ガイド面２５に対して非切除部１７を滑りにくくすることができる。又はガイド面２５表面をゴム材料により被覆してもよい。
【００６５】
・  ボックス本体１９の周壁の外周形状を円形状、三角形状、五角形状、菱形形状、楕円形状等に形成し、そのボックス本体１９の開口側の周壁内面にガイド面２５を周壁全周に亘って形成してもよい。そして、円形状、三角形状、五角形状、菱形形状、楕円形状等の透孔３１を壁材１３に穿設してもよい。
【００６６】
・  実施形態では、一体の切除工具１０ａ及び穿孔ビット１４を使用して透孔穿設作業を行ったが、二体以上の切除工具１０ａ及び穿孔ビット１４を使用して透孔穿設作業を行ってもよい。
【００６７】
・  実施形態では切除手段として、切除工具１０ａ及び穿孔ビット１４よりなるものを使用したが、鋸、糸鋸、カッターナイフ、包丁等を使用して壁材１３を切除してもよい。
【００６８】
さらに、前記実施形態より把握できる技術的思想について以下に記載する。
・  前記ボックス本体はその内部に所定の探知器により探知可能とする探知手段を備えている請求項１〜請求項５のいずれか一項に記載の配線用ボックス。このように構成した場合、探知器で探知手段を探知することにより、壁材の表側から壁材裏側の配線用ボックスの位置を探知することができ、透孔穿設作業の簡易化を図ることができる。
【００６９】
・  前記請求項１〜請求項５のいずれか一項に記載の配線用ボックスが、建築物内の壁材裏に設置され、ボックス本体の開口を前記壁材の表側に臨ませる透孔を当該壁材に穿設する透孔穿設方法であって、壁材を貫通した切除手段を前記ガイド面に当接させ、当該ガイド面に沿って切除手段を移動させることにより、切除手段が周壁の内周形状に沿って壁材を切除してボックス本体の開口を壁材の表側に臨ませる透孔を当該壁材に穿設することを特徴とする透孔穿設方法。このように構成した場合、壁材表側からの配線用ボックスの開口の内周形状に沿った壁材の切除作業を容易に行うことができる。
【００７０】
【発明の効果】
以上詳述したように、この発明によれば、次のような効果を奏する。
請求項１〜請求項４のいずれか一項に記載の発明の配線用ボックスによれば、ボックス本体の周壁の内周形状に沿って壁材の切除手段を円滑に移動させることができ、その切除手段による壁材の切除作業の簡易化を可能とすることができる。加えて、ボックス本体の開口側の周壁内面にガイド面を周壁全周に亘って形成することができる。また、透孔が穿設された後、配線器具取付部の先端面をボックス本体の開口側に臨ませることができ、配線器具取付部がボックス本体の底壁側へ後退した位置にある場合と比較して配線器具を取り付けるために配線器具取付部に取り付けられる取付ビスを短くすることができるとともに、取付ビスの螺合作業を短時間で行うことができる。
【００７１】
請求項２に記載の発明の配線用ボックスによれば、その係止状態において、配線器具取付部の底壁側への回動が規制されるとともに、各配線器具取付部の先端面がボックス本体の開口側の周壁の前端面とほほ同じ位置に配置される。
【００７２】
請求項５に記載の発明の配線用ボックスによれば、非切除部の下端面が段差面上面に当接することにより、切除手段が必要以上にボックス本体内へ入り込まず、安定した状態でガイド面に沿って案内することができる。
【図面の簡単な説明】
【図１】配線用ボックスを壁材裏側に設置した状態を示す斜視図。
【図２】第１実施形態の配線用ボックスを示す正面図。
【図３】（ａ）は第１実施形態の切除工具及び穿孔ビットを示す側面図、（ｂ）は図３（ａ）の３ａ−３ａ線断面図。
【図４】図２の４−４線断面図。
【図５】穿孔ビットを移動させ壁材を切除する状態を示す側断面図。
【図６】壁材に透孔が穿設された状態を示す正面図。
【図７】第２実施形態の配線用ボックスを示す部分破断斜視図。
【図８】（ａ）は第２実施形態の配線器具取付部を示す図７の８ａ−８ａ線断面図、（ｂ）は第２実施形態の配線器具取付部を示す図７の８ｂ−８ｂ線断面図。
【図９】第３実施形態の配線用ボックスを示す部分側断面図。
【図１０】第４実施形態の配線用ボックスを示す部分側断面図。
【図１１】第５実施形態の配線用ボックスを示す部分側断面図。
【図１２】別例のガイド面を備えた配線用ボックスを示す側断面図。
【符号の説明】
１０ａ…壁材の切除手段を構成する切除工具、１１…配線用ボックス、１３…壁材、１４…壁材の切除手段を構成する穿孔ビット、１９…ボックス本体、２０…底壁、２１〜２４…周壁を構成する側壁、２５…ガイド面、２８…配線器具取付部、３３…回動機構を構成する軸受け、３４…回動機構を構成する係合突起、３７…支持部、３８…取付体、３９…受け部、４０…収容部、４１…着脱手段を構成する雄ねじ、４２…着脱手段を構成する雌ねじ。
【図１】
0003574070.tif 000002
【図２】
0003574070.tif 000003
【図３】
0003574070.tif 000004
【図４】
0003574070.tif 000005
【図５】
0003574070.tif 000006
【図６】
0003574070.tif 000007
【図７】
0003574070.tif 000008
【図８】
0003574070.tif 000009
【図９】
0003574070.tif 000010
【図１０】
0003574070.tif 000011
【図１１】
0003574070.tif 000012
【図１２】
0003574070.tif 000013